(57)【要約】【課題】積雪中に降った雨や徐々に融けた融雪水が瓦の表面を流下しやすくして、雨水が瓦の表面に長時間、滞留するのを防ぐ。【解決手段】本発明の雪止め瓦１は、瓦表面に水勾配方向に沿って延びる複数条の山部３及び谷部４が設けられ、これら山部３及び谷部４のうち山部３にのみ雪止め用の突起部２が形成されたもので、これにより、突起部２のない谷部４に沿って雨水を円滑に流下させることができる。【選択図】図１
2007085046.tif 000002
【特許請求の範囲】
【請求項１】
瓦表面に水勾配方向に沿って延びる複数条の山部及び谷部が設けられ、山部にのみ雪止め用の突起部が形成されたことを特徴とする雪止め瓦。
【請求項２】
瓦表面の水下側は、働き幅全体にわたって谷部と同じ高さとなるように形成されたことを特徴とする請求項１に記載の雪止め瓦。
【請求項３】
雪止め用の突起部は、水上側が瓦表面に対して略直立し、水下側が瓦表面に対して緩傾斜となるように形成されたことを特徴とする請求項１に記載の雪止め瓦。
【請求項４】
雪止め用の突起部は、複数条の山部に、上面視略千鳥状に配置されたことを特徴とする請求項１記載の雪止め瓦。
【請求項５】
雪止め用の突起部の高さは瓦本体の厚みを越えない寸法となされ、瓦裏面には、この雪止め瓦を重ね合わせたときに上記突起部を収容しうる凹部が形成されたことを特徴とする請求項１に記載の雪止め瓦。
【発明の詳細な説明】
【技術分野】
【０００１】
本発明は、屋根に積もった雪が滑落するのを防止するための雪止め機能を備えた雪止め瓦に関する。
【背景技術】
【０００２】
積雪地域においては、屋根に積もった雪が突然、滑落して、通行人に危険を及ぼしたり、雨樋、下屋根、窓、庭の設置物、自動車等を損傷したりするおそれがある。このような事故を未然に防ぐ技術として、瓦葺き屋根に用いられる瓦の表面に雪止め用の突起部を形成したものが知られている（例えば、特許文献１〜４等）。
【特許文献１】実開昭５５−１２１８２１号公報
【特許文献２】実開昭５７−１４５０２５号公報
【特許文献３】実開平５−５２０４０号公報
【特許文献４】実開平５−５２０４１号公報
【発明の開示】
【発明が解決しようとする課題】
【０００３】
瓦の表面には、通常、波形等の山谷形状が形成されるが、上記各文献に記載された従来の雪止め瓦においては、雪止め用の突起部が表面の谷部ないしその近傍に形成されている。しかし、屋根に積雪が残っている間に雨が降ったり、屋根に積もった多量の雪がゆっくりと融けている状況では、瓦表面の谷部に雨水が溜まりやすくなり、その谷部に突設された突起部が、雨水の円滑な流下を妨げるおそれがある。すると、雨水が瓦の葺き重ね部から瓦の裏面側に浸入して屋根面の防水性を損なったり、軒先につららなどの氷結部が生じやすくなったりする。
【０００４】
本発明は上記問題点を解決するためになされたもので、雪止め用の突起部を含めた表面形状を雨水が流下しやすいように改良して、雨水が瓦の表面に長時間、滞留するのを防ぐことを解決課題とする。
【０００５】
また、上記各文献に記載されたような雪止め瓦は、表面の突起部が過剰に目立って屋根面の美観が損なわれるおそれがあるとともに、雪止め瓦同士を複数枚重ね合わせたときには突起部が邪魔になって非常に嵩張ってしまうので、梱包や保管が不便になり、輸送コストも高くなる。そこで本発明は、突起部が目立たず意匠性に優れ、重ね合わせても嵩張らないような雪止め瓦の形状を併せて提案するものとする。
【課題を解決するための手段】
【０００６】
上記した目的を達成するため、本発明の雪止め瓦は、瓦表面に水勾配方向に沿って延びる複数条の山部及び谷部が設けられ、山部にのみ雪止め用の突起部が形成されたことを特徴とする。この雪止め瓦によれば、山部に形成された雪止め用の突起部が積雪の滑落を防ぐとともに、雨水を谷部に沿って水上から水下まで円滑に流下させることができる。
【０００７】
雨水の流下をさらに円滑にするためには、瓦表面の水下側が、働き幅全体にわたって谷部と同じ高さとなるように形成されるのが好ましい。これによれば、雪止め瓦を千鳥状に葺いたり、あるいは葺き重ね状態に施工上のバラツキがあったりしても、水上から水下まで瓦表面の谷部が連続することになり、良好な排水性が得られる。
【０００８】
雪止め用の突起部については、水上側が瓦表面に対して略直立し、水下側が瓦表面に対して緩傾斜となるように形成されるのが、雪止め効果において好ましい。また、雪止め用の突起部を、複数条の山部に、上面視略千鳥状に配置するのも、屋根面全体における雪止め効果の向上に寄与する。
【０００９】
また、本発明の雪止め瓦は、雪止め用の突起部の高さが瓦本体の厚みを越えない寸法となされ、瓦裏面には、この雪止め瓦を重ね合わせたときに上記突起部を収容しうる凹部が形成されたことを特徴とする。凹部の形状は、突起部の形状に対応させて適宜に決定されるものである。この構成によれば、突起部が必要以上に目立たなくなるので屋根面の美観が損なわれずに済むとともに、複数枚の雪止め瓦を嵩張らずに重ね合わせて梱包することができるので、瓦の保管コストや輸送コストを削減することが可能になる。
【発明の効果】
【００１０】
上述のように構成される本発明の雪止め瓦は、瓦表面に設けられた水勾配方向の山部及び谷部のうち、山部にのみ雪止め用の突起部が形成されるので、谷部に沿う雨水の流下が阻害されず、雨水が雪止め瓦の表面に長時間、滞留するのを防ぐことができる。瓦表面の水下側を、働き幅全体にわたって谷部と同じ高さに揃えれば、上段の雪止め瓦から下段の雪止め瓦に流下する雨水の流れをさらに円滑にすることができる。
【００１１】
また、本発明の雪止め瓦は、瓦表面の突起部に対応する凹部が瓦裏面に形成されて、雪止め瓦を重ね合わせたときに突起部が凹部内に収容されるように構成されるので、複数枚の雪止め瓦を、通常の瓦と同様に重ね合わせて嵩張らずに梱包し、経済的に保管、輸送することができる。
【００１２】
さらに、雪止め用の突起部の高さを瓦本体の厚みを越えない寸法とすれば、突起部が必要以上に目立たなくなるので、屋根面の美観が損なわれない。また、成形のための材料や工程にかかるコストが、雪止め機能のない一般の瓦とほとんど変わらず、金型のメンテナンスも容易になるので、一般の瓦と同様の生産工程で安価に生産することができる。
【発明を実施するための最良の形態】
【００１３】
以下、本発明の実施の形態について図を参照して説明する。
【００１４】
図１〜図７は本発明の実施形態に係る雪止め瓦１を示す。例示の雪止め瓦１は、全体として平らな矩形形状を有する桟瓦であり、形状としては、日本工業規格（ＪＩＳ）Ａ５２０８「粘土がわら」の形状区分に規定されたＦ形の桟瓦、またはそれに類似した桟瓦に相当する。雪止め瓦１の水下側の縁部（頭）１１は表面から断面略Ｌ字に垂下し、水上側の縁部（尻）１２の表面には水返し１３や釘孔１４が形成されている。また、水下側から見て左側には、葺き重ね時に「すくい側」となるアンダーラップ１５が張り出し、水下側から見て右側の裏面には、葺き重ね時に「かぶせ側」となるオーバーラップ１６が欠き込まれている。なお、これら周縁部や葺き重ね部の形状は一例であって、瓦としての基本機能を逸脱しない範囲で適宜変更可能である。
【００１５】
本発明の要部は、表面に形成された雪止め用の突起部２にある。この雪止め瓦１の表面には、水勾配方向に沿って延びる複数条の山部３及び谷部４が設けられている。例示形態では５条の山部３と４条の谷部４とが交互に設けられている。山部３と谷部４との段差は、２ｍｍ〜５ｍｍ程度である。山部３は水上側にて横方向に連続しており、水上側の縁部１２近傍の表面高さは、働き幅全体にわたって山部３の高さで平坦に揃えられている。山部３は水下側の縁部１１から所定寸法だけ隔てた位置で途切れており、水下側の縁部１２近傍の表面高さは、働き幅全体にわたって谷部４の高さで平坦に揃えられている。
【００１６】
雪止め用の突起部２は、上記山部３及び谷部４のうち、山部３にのみ形成されている。突起部２は上面視略矩形で、縦断面形状は、図６に示すように、水上側の瓦表面に対する立ち上がり角度が略直角（具体的には８０度〜９０度程度）、水下側の瓦表面に対する立ち上がり角度が緩傾斜（具体的には２０度〜４０度程度）の略台形状となるように形成されている。例示形態に係る突起部２の高さは１０ｍｍ前後で、最大でも瓦本体の厚みを越えない寸法に設定されている。
【００１７】
例示形態に係る突起部２は、３条の山部３のうち、中央の山部３と左右の山部３との間で横位置を数ｃｍ程度ずらせて、略千鳥状に配置されている。突起部２の配置については、雪止め効果を向上させる点からは互いの横位置をずらせるのが好ましいが、突起部２の横位置を揃えても一定の雪止め効果は期待できる。
【００１８】
このように構成された本発明の雪止め瓦１によれば、山部３に形成された突起部２が積雪の滑落を防ぐとともに、積雪中に降った雨や徐々に融けた融雪水が、突起部２のない平坦な谷部４に沿って、雪止め瓦１の表面に滞留することなく円滑に水下へと流下する。これにより、従来の雪止め瓦よりも優れた排水性が得られる。また、このような突起部２は、屋根上での施工時の足掛かりにもなる。
【００１９】
さらに、本発明の雪止め瓦１には、雪止め瓦１同士を重ね合わせやすくするために、表面の突起部２に対応する凹部５が裏面に形成されている。凹部５は、裏面側に重ねられる雪止め瓦１の突起部２と合致する位置に、縦断面形状が略三角形ないし略台形となるように形成されて、図６に示すように、裏面側に重ねられる突起部２を収容する。これにより、この雪止め瓦１を重ね合わせた場合でも、その高さを通常の瓦を重ね合わせた場合と同程度にすることができ、梱包、保管、輸送にかかるコストを削減することができる。
【００２０】
なお、本発明は、粘土瓦だけでなく、セラミック瓦や樹脂製瓦、あるいは瓦形状を模した金属製屋根葺き材にも適用可能である。
【図面の簡単な説明】
【００２１】
【図１】本発明の実施形態に係る雪止め瓦の斜視図である。
【図２】上記雪止め瓦の上面図である。
【図３】上記雪止め瓦の底面図である。
【図４】上記雪止め瓦のＡ−Ａ’断面図である。
【図５】上記雪止め瓦のＢ−Ｂ’断面図である。
【図６】上記雪止め瓦のＣ−Ｃ’断面と重ね合わせ状態を示す説明図である。
【図７】上記雪止め瓦の葺設状態を示す参考斜視図である。
【符号の説明】
【００２２】
１    雪止め瓦
２    突起部
３    山部
４    谷部
５    凹部
【図１】
2007085046.tif 000003
【図２】
2007085046.tif 000004
【図３】
2007085046.tif 000005
【図４】
2007085046.tif 000006
【図５】
2007085046.tif 000007
【図６】
2007085046.tif 000008
【図７】
2007085046.tif 000009